(57)【要約】      （修正有）【課題】構造が簡単で、低コストで製造可能で、着脱も容易なボタンカバーを提供する。【解決手段】衣服に取り付けられたベースボタンの外側を覆うカバー部３１と、このカバー部の内部にベースボタンを収容できる当該ベースボタンの形状に合わせて形成されたところの下部側に開口部３２ａを設けた収容部３２と、ベースボタンの下端部を係止するために開口部３２ａの内周に沿って内側に折り曲げて形成した少なくとも一対の円弧状突縁３３ａ，３３ａ等から成る可撓性材質の係止片３３とを単一体の合成樹脂製の成形品で構成し、もって、ベースボタンを開口部３２ａから収容部３２内へ係止片３３を撓ませることで収納させ、元位置に戻った係止片３３で当該ベースボタンの下端部側を係止保持させることにより、ベースボタンに対する取付けが完了するように成したことを特徴とする。【選択図】図２
0003193158.tif 000002
【実用新案登録請求の範囲】
【請求項１】
衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記ベースボタンの下端部を係止するために前記開口部の内周に沿って内側に折り曲げて形成した少なくとも一対の円弧状突縁から成る可撓性材質の係止片とを単一体の合成樹脂製の成形品で構成し、もって、前記ベースボタンを前記開口部から前記収容部内へ前記係止片を撓ませることで収納させ、元位置に戻った前記係止片で当該ベースボタンの下端部側を係止保持させることにより、前記ベースボタンに対する取付けが完了するように成したことを特徴とする、ボタンカバー。
【請求項２】
衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記開口部に前記ベースボタンの下端部を係止するために内側に折り曲げて形成した複数の小係止片から成る可撓性材質の係止片とを単一体の合成樹脂製の成形品で構成し、もって、前記ベースボタンを前記開口部から前記収容部内へ前記係止片を撓ませることで収納させ、元位置に戻った前記小係止片で当該ベースボタンの下端部側を係止保持させることにより、前記ベースボタンに対する取付けが完了するように成したことを特徴とする、ボタンカバー。
【請求項３】
衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記ベースボタンの下端部を係止するために前記開口部の内周に沿って内側に折り曲げて形成した円環状突縁から成る可撓性材質の係止片とを単一体の合成樹脂製の成形品で構成し、もって、前記ベースボタンを前記開口部から前記収容部内へ前記係止片を撓ませることで収納させ、元位置に戻った前記係止片で当該ベースボタンの下端部側を係止保持させることにより、前記ベースボタンに対する取付けが完了するように成したことを特徴とする、ボタンカバー。
【請求項４】
前記カバー部と前記係止片を可撓性材質により構成したことを特徴とする、請求項１〜３のいずれか１項に記載のボタンカバー。
【請求項５】
前記カバー部は硬質材質、前記係止片は可撓性材質により構成したことを特徴とする、請求項１〜３のいずれか１項に記載のボタンカバー。
【請求項６】
可撓性材質により構成された前記係止片の前記開口部内側への突出量を、前記可撓性材質の硬度に応じて変化させたことを特徴とする、請求項１〜５のいずれか１項に記載のボタンカバー。
【請求項７】
前記カバー部の外面または内面に凹凸加工により装飾を施したことを特徴とする、請求項１〜６のいずれか１項に記載のボタンカバー。
【請求項８】
前記カバー部の外面または内面にインクジェットによるプリント着色または模様を描いたことを特徴とする、請求項１〜７のいずれか１項に記載のボタンカバー。
【考案の詳細な説明】
【技術分野】
【０００１】
本考案は、衣服に縫い付けられている既存のボタンにかぶせて使用する着脱可能なボタンカバーに関する。
【背景技術】
【０００２】
衣服のボタンは、ファッション上きわめて重要な役割を果たすものであり、同じ衣服でもボタンが異なれば全く別の印象を与えることがある。
そのため、同じ衣服を効率よく着こなすために、ＴＰＯに応じてボタンを交換できれば便利であるが、例えばジャケットなどには前ボタンと袖ボタンを合わせて１０〜１５個程のボタンが付いており、これらをすべて付け替えることは多大の労力を必要とするため、現実には殆ど行われていない。
【０００３】
そのような問題を解決するため、下記の特許文献に開示されているようなボタンカバー等が提案されている。
特許文献１〜４に記載のものは、いずれも、衣服に縫い付けられている既存の通常のボタン（本明細書において「ベースボタン」という。）にかぶせて使用するボタンカバーであるが、それらのボタンカバーを取り付けたままでは衣服のボタン孔を通すことができないため、衣服を着たり脱いだりする際には取り外しておき、衣服を着てから取り付けなければならないため、同じボタンカバーを続けて使用する場合には面倒であった。
また、特許文献１のものは、使用中に外れ易かったり、見る角度によってはボタンカバーであることが容易に判別でき、正装には向かないという問題がある。
特許文献２〜４のものは、ベースボタンの縫い付け糸で支持されるようになっており、縫い付け糸の導入部を有するが、縫い付け糸の位置はその導入部に沿って移動するため、ボタンカバーの中心がベースボタンの中心から大きく変位して、ベースボタンを完全に隠すことができないことがあり、見苦しくなるという問題がある。
特許文献３のものは、部品数が多く、製造コストが高くなるという問題もある。
【０００４】
次に、特許文献５に記載のものは、１枚の金属箔又は金属薄板からなるボタンカバーであり、一種の使い捨てとしてしか使用できず、反復使用には向かないという問題がある。
更に、特許文献６及び７に記載のものは、いずれも、衣服に縫い付けられるベースボタンとしてのパーツと、これに交換可能に着脱されるボタンカバーとしてのパーツとがセットになって構成され、ベースボタン側のパーツにはボタンカバー側のパーツを交換可能に取り付けるための構造が施されているため、衣服に既に縫い付けられている既存の通常のボタンに取り付けることはできないという問題がある。
更にまた、特許文献８には、各種各様のボタンカバーが開示されているが、硬質の外壁とクッション部との２部材から構成されていることにより製造コストが高くなったり、ボタンカバーを取り付けるためのネジ孔等を設けた専用のベースボタンにしか取り付けられなかったり、構造が複雑であったり、等々、いずれも問題があった。
【０００５】
これらの問題点を解決するため、本考案者は先に下記特許文献９において、ベースボタンへ着脱可能に取り付けられる装飾用のボタンカバーであって、下部に内部へ収納させたボタンを係止する係止部を設けたリング状のカバー本体と、このカバー本体の上部を覆うように取り付けられた表面に装飾を施した蓋体と、から構成されるボタンカバーを開示した。このボタンカバーは、上記の如く簡単な構造で、製造が容易であるため安価に提供でき、装着作業も容易で、既存のベースボタンに対して安定して保持され、外観も正規のボタンと変わらず、また、通常のベースボタンを、ボタンの付け替え作業なしに、メタルボタン調のものに変えることができる、等々、多くの利点を有するものであった。
【０００６】
しかしながら、このボタンカバーは、カバー本体と蓋体との２部品から構成されているため、それぞれの部品を個別に作製した上で、それらを組み立てるという作業が必要であり、より一層のコストダウンが望まれていた。
【先行技術文献】
【特許文献】
【０００７】
【特許文献１】実開平５−９３０６号公報
【特許文献２】登録第２５１３０８９号実用新案公報
【特許文献３】特開平２００９−２０７８４２号公報
【特許文献４】登録第３０５１９０９号実用新案公報
【特許文献５】登録第３００３６８７号実用新案公報
【特許文献６】特開平９−２３８７１０号公報
【特許文献７】実開平６−９５０８号公報
【特許文献８】実開平６−５２５１４号公報
【特許文献９】登録第３１６４０４１号実用新案公報
【考案の概要】
【考案が解決しようとする課題】
【０００８】
本考案は上記の問題点を解決するためになされたものであり、その目的とするところは、前記特許文献９に記載のボタンカバーを改良し、より簡単な構造で、製造コストを低く抑えることが可能であると共に、通常のベースボタンに対して安定して保持され、装着作業も容易で、外観も正規のボタンと変わらない、等々、多くの利点を有するボタンカバーを提供することにある。
【課題を解決するための手段】
【０００９】
上記した目的を達成するため、本考案に係るボタンカバーは、衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記ベースボタンの下端部を係止するために前記開口部の内周に沿って内側に折り曲げて形成した少なくとも一対の円弧状突縁から成る可撓性材質の係止片とを単一体の合成樹脂製の成形品で構成し、もって、前記ベースボタンを前記開口部から前記収容部内へ前記係止片を撓ませることで収納させ、元位置に戻った前記係止片で当該ベースボタンの下端部側を係止保持させることにより、前記ベースボタンに対する取付けが完了するように成したことを特徴とする。
【００１０】
更にまた、上記した目的を達成するため、本考案に係るボタンカバーは、衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記開口部に前記ベースボタンの下端部を係止するために内側に折り曲げて形成した複数の小係止片から成る可撓性材質の係止片とを単一体の合成樹脂製の成形品で構成し、もって、前記ベースボタンを前記開口部から前記収容部内へ前記係止片を撓ませることで収納させ、元位置に戻った前記小係止片で当該ベースボタンの下端部側を係止保持させることにより、前記ベースボタンに対する取付けが完了するように成したことを特徴とする。
【００１１】
更にまた、上記した目的を達成するため、本考案に係るボタンカバーは、衣服に取り付けたベースボタンへ着脱可能に取り付ける装飾用のボタンカバーであって、前記ベースボタンの外側を覆うカバー部と、このカバー部の内部に前記ベースボタンを収容できる当該ベースボタンの形状に合わせて形成されたところの下部側に開口部を設けた収容部と、前記ベースボタンの下端部を係止するために前記開口部の内周に沿って内側に折り曲げて形成した円環状突縁から成る可撓性材質の係止片とを単一体の合成樹脂製の成形品で構成し、もって、前記ベースボタンを前記開口部から前記収容部内へ前記係止片を撓ませることで収納させ、元位置に戻った前記係止片で当該ベースボタンの下端部側を係止保持させることにより、前記ベースボタンに対する取付けが完了するように成したことを特徴とする。
【００１２】
前記カバー部と前記係止片を可撓性材質により構成し、或いは、前記カバー部は硬質材質、前記係止片は可撓性材質により構成することが可能である。
【００１３】
可撓性材質により構成された前記係止片の前記開口部内側への突出量は、前記可撓性材質の硬度に応じて変化させることが推奨される。
【００１４】
前記カバー部の装飾として、カバー部の外面または内面に凹凸模様を形成し、或いはまた、インクジェットによるプリント着色または模様を描くようにすることが推奨される。
【考案の効果】
【００１５】
本考案に係るボタンカバーは上記の如く、そのカバー部と係止片とが単一体の合成樹脂製の成形品で構成されるため、簡単な成型操作で効率良く製造でき、組立作業も不要となるため、その製造コストは前記特許文献９に記載のものに較べて大幅に低く抑えることが可能となるものである。また、その機能については、前記カバー部と係止片のうち少なくとも係止片が可撓性の合成樹脂により作製されているため、ベースボタンへの装着および取外し作業時には係止片が容易に変形し、簡単な操作でベースボタンに着脱でき、また、特許文献９に記載のものと同様に、装着可能なボタンは専用のものに限らず既存の各種ボタンに対して装着可能であり、装着後は容易に外れることなく安定して保持され、また、ベースボタンに装着したままで衣服を着たり脱いだりすることができ、外観も正規のボタンと変わらない、等々の多くの利点を有するものである。
【図面の簡単な説明】
【００１６】
【図１】本考案の実施例１に係るボタンカバーを、衣服に縫い付けられたベースボタンに嵌め合わせる状態を示す斜視図である。
【図２】本考案の実施例１に係るボタンカバーの説明図であり、（ａ）は側面図、（ｂ）は背面図、（ｃ）はＥ−Ｅ断面図、（ｄ）はＦ−Ｆ断面図である。
【図３】図２に示したボタンカバーをベースボタンに取り付けた状態を示しており、（ａ）はその背面図、（ｂ）はＧ−Ｇ断面図である。
【図４】本考案の実施例２に係るボタンカバーの説明図であり、（ａ）は側面図、（ｂ）は背面図、（ｃ）はＨ−Ｈ断面図、（ｄ）はＪ−Ｊ断面図である。
【図５】図４に示したボタンカバーをベースボタンに取り付けた状態を示しており、（ａ）はその背面図、（ｂ）はＫ−Ｋ断面図である。
【図６】本考案の実施例３に係るボタンカバーの説明図であり、（ａ）はその背面図、（ｂ）はＬ−Ｌ断面図である。
【図７】本考案の実施例４に係るボタンカバーの説明図であり、（ａ）はその背面図、（ｂ）はＭ−Ｍ断面図である。
【図８】本考案の実施例５に係るボタンカバーの説明図であり、（ａ）はその背面図、（ｂ）はＮ−Ｎ断面図である。
【図９】本考案に係るボタンカバーの蓋部に施される模様の例を示す正面図である。
【考案を実施するための形態】
【００１７】
以下に本考案に係るボタンカバーの好ましい実施例を図面に基いて説明するが、本考案はそれらの実施例に限定されるものではない。
【実施例１】
【００１８】
図１には、衣服１に縫い付けられたベースボタン２に、本考案の実施例１に係るボタンカバー３を装着する状態が示されている。ベースボタン２は、ボタン本体２１に明けた糸通し孔２４において糸２５により衣服１に縫い付けられている。
本考案に係るボタンカバー３は、ベースボタン２に着脱可能なように嵌め合わせられ、その内部にベースボタン２を収容できるカバー部３１を有し、このカバー部３１は、胴部３１ａと、蓋部３１ｂとから構成され、図示した例において、蓋部３１ｂの外面（蓋部３１ｂが透明な材質の場合は内面でもよい）には所望の装飾模様等が施されて、ファッション上重要な役割を果たす装飾面３１ｃとして構成されている。この装飾模様等は、蓋部３１ｂに限らず、デザイン上の必要に応じて、胴部３１ａの外面または内面にまで及んでもよい。
【００１９】
本考案に係るボタンカバーの具体的な構成を、その実施例１に係るボタンカバー３の説明図である図２と、ベースボタンへの装着状態を示す図３により説明する。前記の通り、図２における（ａ）は側面図、（ｂ）は背面図、（ｃ）はＥ−Ｅ断面図、（ｄ）はＦ−Ｆ断面図であり、また、図３における（ａ）は背面図、（ｂ）はＧ−Ｇ断面図である。
なお、以下の説明においては、衣服１に既に縫い付けられているベースボタン２としては、紳士用ジャケット等の前ボタンとして通常用いられる直径２０ｍｍの円形のものを代表例として説明するが、本考案のボタンカバーは必要に応じてそれ以外の形状やサイズの各種各様のボタンに装着可能なものも任意に設計、製造し得るものである。
【００２０】
図２及び図３に示すボタンカバー３は、前記ベースボタン２の外側を覆うカバー部３１と、このカバー部の内部に前記ベースボタン２を収容できるように当該ベースボタン２の形状に合わせて形成されたところの下部側に開口部３２ａを設けた収容部３２と、前記ベースボタン２の下端部２３を係止するために前記開口部３２ａの内周に沿って内側に折り曲げて形成した一対の円弧状突縁３３ａ，３３ａから成る可撓性材質の係止片３３とが、単一体の合成樹脂製の成形品で構成されている。前記カバー部３１と前記係止片３３を共に可撓性材質により構成してもよいし、或いは、前記カバー部３１は硬質材質によって構成し、前記係止片３３は可撓性材質によって構成するようにしてもよい。このように、収容部３２を有するカバー部３１と、円弧状突縁３３ａ，３３ａから成る係止片３３とを、単一体の合成樹脂製の成形品として構成することにより、ボタンカバー３全体を簡単な成型工程によって効率良く製造でき、製造コストを低く抑えることが可能となる。また、少なくとも円弧状突縁３３ａ，３３ａから成る係止片３３の部分を可撓性の合成樹脂により作製することによって、前記ベースボタン２をボタンカバー３の開口部３２ａから収容部３２内へ収納させ、或いは取り外す際に、前記係止片３３を撓ませることができるので、ベースボタン２への着脱作業が容易となる。前記カバー部３１と係止片３３を共に可撓性の合成樹脂により作製した場合には、ボタンカバー３全体を撓ませたり引き伸ばしたりすることが可能となるので、ベースボタン２への着脱作業は一層容易になる。
【００２１】
可撓性の合成樹脂としては、例えば、ポリウレタン、ポリプロピレン、ジュラコン（登録商標）、ナイロン（登録商標）、シリコンゴム等が好適に用いられるが、必ずしもこれらに限定されるものではない。硬質の合成樹脂としては、例えば、アクリル樹脂、ユリア樹脂等が好適に用いられるが、必ずしもこれらに限定されるものではない。
【００２２】
カバー部３１の内部の収容部３２は、装着されるベースボタン２を収容する部分であり、その内径Ｐ［図２の（ｄ）参照］はベースボタン２の外径と略同一となるように形成され、ベースボタン２が安定して収容され得るようになっている。例えば、ベースボタン２の外径が２０ｍｍである場合には、前記内径Ｐも２０ｍｍに設定されるが、或る程度の誤差は許容される。カバー部３１の胴部３１ａの肉厚については、強度を損なわない範囲でなるべく薄くすることが望ましい。胴部３１ａの外径が大きくなると、ベースボタン２の外径に合わせて調整されている衣服のボタン孔にボタンカバー３が通らなくなるからである。
【００２３】
ボタンカバー３が、一旦装着されたベースボタン２から容易に離脱しないように安定して係止保持されるように、カバー部３１の収容部３２の下部側の開口部３２ａには、その内周に沿って内側に折り曲げるように形成した一対の円弧状突縁３３ａ，３３ａから成る可撓性材質の係止片３３が、カバー部３１と一体的に設けられている。図２に示した実施例において、前記円弧状突縁３３ａ，３３ａは、収容部３２の開口部３２ａの内周に沿って互いに対向する位置に、内周全体の略１／３程度ずつの円弧長で一対（２個）設けられている。ベースボタン２に装着した状態においては、図３に示す如く、これら一対の円弧状突縁３３ａ，３３ａから成る係止片３３が、ボタンカバー３の収容部３２内に収容されたベースボタン２をその外周縁２２から下端部２３にかけて係止し、ベースボタン２を一定位置に安定して保持するようになっている。ボタンカバー３をベースボタン２に装着する際には、ベースボタン２に対してボタンカバー３を幾分斜めにして、ボタンカバー３の一対の円弧状突縁３３ａ，３３ａの間の間隙３４、３４にベースボタン２の周縁部を差込み、円弧状突縁３３ａ，３３ａを撓ませることで前記ベースボタン２全体を前記開口部３２ａから前記収容部３２内へ収納させ、図３（ｂ）に示すように、撓んだ状態から元位置に戻った一対の円弧状突縁３３ａ，３３ａ（係止片３３）でベースボタン２の下端部２３側を係止保持させるようにする。
【００２４】
図２および図３に示した実施例１においては、前記の如く、円弧状突縁３３ａ，３３ａは、カバー部３１の収容部３２の前記開口部３２ａの内周全体の略１／３程度ずつの長さで一対（２個）設けられているが、本発明はこれに限定されず、例えば、一対（２個）設ける場合には、好適には、前記開口部３２ａの内周全長の少なくとも１／４以上、１／２未満の円弧長のものを互いに対向するように設けることができる。１／４未満であると、ベースボタン２への係止効果が不十分となり、１／２を超えると円弧状突縁３３ａ，３３ａが一対（２個）とはならず、連続してしまうからである。なお、円弧状突縁３３ａ，３３ａの数は、２個に限らず、４個、６個、８個、１０個など任意の個数設けることができ、その場合、好適には偶数個として、円弧状突縁３３ａ，３３ａの間の前記間隙３４、３４も互いに対向する位置に配置されるようにし、この対向する間隙３４、３４を通じてベースボタン２の周縁部をボタンカバー３の円弧状突縁３３ａ，３３ａの内側に挿入し易くすることが望ましい。ただし、奇数個を排除するものではない。なお、円弧状突縁３３ａ，３３ａの数を１２個以上の複数とする例については、図４および図５に示す実施例２において説明する。
【００２５】
図３には、本考案に係るボタンカバー３をベースボタン２に装着した状態が示されており、装着後には、ボタンカバー３のカバー部３１の収容部３２内にベースボタン２全体が収容され、このカバー部３１の下部側の開口部３２ａの内周に沿って設けた前記一対の円弧状突縁３３ａ，３３ａから成る係止片３３によって、図３（ｂ）に示すように、ベースボタン２の外周縁２２から下端部２３にかけた部分が係止、保持され、ボタンカバー３がベースボタン２から外れ落ちるのが防止されるようになっている。
【００２６】
尚、前記円弧状突縁３３ａ，３３ａの突出量は、ボタンカバー３の材質の硬軟の程度や円弧状突縁３３ａ，３３ａの形状にもよるが、図２に示した実施例の場合、外径２０ｍｍのベースボタンに装着する場合において、前記開口部３２ａの内径Ｐ（即ち、収容部３２の内径Ｐ）を２０ｍｍとすると、対向する円弧状突縁３３ａ，３３ａの先端間の距離Ｑを約１２．０ｍｍ〜１６．０ｍｍ、即ち、各円弧状突縁３３ａ，３３ａの突出量をおよそ２．０ｍｍ〜４．０ｍｍとすることが推奨される。この突出量は、ベースボタン２に対するボタンカバー３の装着のし易さ（装着容易性）と、装着後の外れ難さ（離脱防止性）の双方が達成され得る範囲に選定される。即ち、例えば、上記突出量が２．０ｍｍ未満であると、ベースボタン２に対する係止効果が不十分で外れ易くなり、他方、４．０ｍｍを超えると、装着作業が困難となる。
【００２７】
ボタンカバー３のカバー部３１の胴部３１ａの上部には、胴部３１ａと一体的に蓋部３１ｂが設けられる。この蓋部３１ｂの外面または内面は、装飾面３１ｃとして構成される。図２および図３に示した例では、蓋部３１ｂの外面が装飾面３６となっている。装飾面３１ｃはボタンカバー３の外観を形成する上で最も重要な役割を果たす部分であり、ブランド名やオリジナルの図柄等を入れることにより、ボタンカバー３のアッピール効果やファッション性を高めるようにすることが望ましい。
【００２８】
装飾面３１ｃを凹凸模様で構成する場合には、ボタンカバー３を合成樹脂により成形する際に、同時に凹凸模様も成形によって形成するようにする。ボタンカバー３のカバー部３１を透明な合成樹脂で作製した場合には、その蓋部３１ｂの裏面に装飾面としての凹凸模様を形成してもよい。装飾面３１ｂに凹凸模様を形成した場合においても、形成しない場合においても、蓋部３１ｂの外面または内面にインクジェットによるプリント着色または模様を描くようにしてもよい。それにより、ボタンカバー３の装飾性を一層高めることが可能となる。金属色のプリントを行うことにより、需要の多いメタルボタン調のボタンカバーとすることができる。なお、前記の如く、これらの装飾模様等は、蓋部３１ｂの外面または内面に限らず、胴部３１ａの外面または内面にまで及んでもよい。
【００２９】
装飾面３１ｃに用いる代表的な図柄もしくは模様としては、例えば、図６（ａ）に示すような剣像をモチーフとしたものや、（ｂ）に示すような要塞像、（ｃ）に示すような獅子像、（ｄ）に示すような鷲像、（ｅ）、（ｆ）に示すようなローマ字、等々をモチーフとしたものなどが挙げられる。ボタンカバー３のサイズとしては、代表的には男性用ジャケット等の前ボタンとして通常用いられる直径２０ｍｍのベースボタン用のものと、袖ボタンとしての一回り小さな直径１５ｍｍのベースボタン用のものが提供され、更には、女性服飾用のもの、その他必要に応じて各種ボタンのサイズに対応したものが提供される。
【実施例２】
【００３０】
図４および図５には本考案の実施例２に係るボタンカバー４が示されている。前記の通り、図４における（ａ）は側面図、（ｂ）は背面図、（ｃ）はＨ−Ｈ断面図、（ｄ）はＪ−Ｊ断面図であり、また、図５における（ａ）は背面図、（ｂ）はＫ−Ｋ断面図である。
この実施例２に係るボタンカバー４が、図２および図３に示した前記実施例１に係るボタンカバー３と相違する主要な点は、ベースボタン２を係止するためにカバー部４１の収容部４２の下部側の開口部４２ａに設けた係止片４３が、前記実施例１の円弧状突縁３３ａ、３３ａのように長くて少数であるのと異なり、多数の小サイズの小係止片４３ａ、４３ａから成る点である。その他の構成要素、即ち、カバー部４１、その胴部４１ａ、蓋部４１ｂ、装飾面４１ｃ、収容部４２や、可撓性もしくは硬質の合成樹脂素材、等々については、前記実施例１のものと同様であるので、それらの詳しい説明は省略する。
【００３１】
図４および図５に示す実施例２に係るボタンカバー４は、前記ベースボタン２の外側を覆うカバー部４１と、このカバー部の内部に前記ベースボタンを収容できるように当該ベースボタン２の形状に合わせて形成されたところの下部側に開口部４２ａを設けた収容部４２と、前記開口部４２ａに前記ベースボタン２の下端部２３を係止するために前記開口部４２ａの内周に沿って内側に折り曲げて形成した複数の小係止片４３ａ，４３ａから成る可撓性材質の係止片４３とが、単一体の合成樹脂製の成形品で構成されている。前記カバー部４１と、前記複数の小係止片４３ａ，４３ａから成る係止片４３とを、共に可撓性材質により構成してもよいし、或いは、前記カバー部４１は硬質材質によって構成し、前記係止片４３は可撓性材質によって構成するようにしてもよい。このように、収容部４２を有するカバー部４１と、複数の小係止片４３ａ，４３ａから成る係止片４３とを、単一体の合成樹脂製の成形品として構成することにより、ボタンカバー４全体を簡単な成型工程によって効率良く製造でき、製造コストを低く抑えることが可能となる。また、少なくとも前記複数の小係止片４３ａ，４３ａから成る係止片４３の部分を可撓性の合成樹脂により作製することによって、前記ベースボタン２をボタンカバー４の開口部４２ａから収容部４２内へ収納させ、或いは取り外す際に、前記係止片４３を撓ませることができるので、ベースボタン２への着脱作業が容易となる。前記カバー部４１と係止片４３を共に可撓性の合成樹脂により作製した場合には、ボタンカバー４全体を撓ませたり引き伸ばしたりすることが可能となるので、ベースボタン２への着脱作業は一層容易になる。
【００３２】
ボタンカバー４をベースボタン２に装着する際には、ベースボタン２に対してボタンカバー４を幾分斜めにして、ベースボタン２をボタンカバー４の開口部４２ａへ当てがい、前記係止片４３を撓ませながら収容部４２内へ収納させ、撓んだ状態から元位置に戻った複数の小係止片４３ａ，４３ａ（係止片４３）により、図５（ｂ）に示すように、ベースボタン２の下端部２３側を係止、保持させるようにする。
【００３３】
図４および図５に示した実施例２に係るボタンカバー４においては、図示する如く、２６個の小係止片４３ａ，４３ａが、間隙４４、４４を介して等間隔に設けられている。ただし、これらの小係止片４３ａ，４３ａの数は、図示したような２６個に限らず、適宜増減することができ、好適には、１２個以上、３６個以下程度の小係止片４３ａ，４３ａを所定の間隙を介して等間隔に設けることが望ましい。１２個未満については、前記実施例１で述べた構成と重複し、３６個を超えると、成型型のコストが高くなる等の問題があるためである。また、ベースボタンへの装着容易性および離脱防止性の観点からも、３６個以下とすることが望ましい。ただし、３６個を超えるものを排除するものではない。
【００３４】
なお、これらの小係止片４３ａ，４３ａの突出量は、ボタンカバー４の材質の硬軟の程度や小係止片４３ａ，４３ａの形状にもよるが、図４に示した実施例の場合、外径２０ｍｍのベースボタンに取り付ける場合において、前記開口部４２ａの内径Ｒ（即ち、収容部４２の内径Ｒ）を２０ｍｍとした場合において、互いに対向する小係止片４３ａ，４３ａの先端間の距離Ｓを約１０．０ｍｍ〜１６．０ｍｍ、即ち、各小係止片４３ａ，４３ａの突出量をおよそ２．０ｍｍ〜５．０ｍｍとすることが好適である。この突出量は、前記の如く、ベースボタン２に対するボタンカバー４の装着容易性と、離脱防止性の双方が達成され得る範囲に選定される。即ち、上記突出量が２．０ｍｍ未満であると、ベースボタン２に対する係止効果が不十分で外れ易くなり、他方、５．０ｍｍを超えると、装着作業が困難となる。なお、一般的には、各小係止片４３ａ，４３ａが小サイズになる程、曲げ易くなるため、突出量を長くすることが必要となる。
【００３５】
図５には、上記実施例２に係るボタンカバー４をベースボタン２に装着した状態が示されており、装着後には、ボタンカバー４のカバー部４１の収容部４２内にベースボタン２全体が収容され、収容部４２の開口部４２に設けた複数の小係止片４３ａ，４３ａによって、ボタンカバー４がベースボタン２から外れ落ちるのが防止されるようになっている。
【実施例３】
【００３６】
図６には本考案の実施例３に係るボタンカバー５が示されている。前記の通り、図６における（ａ）は背面図、（ｂ）はＬ−Ｌ断面図である。
この実施例３に係るボタンカバー５が、図２、図３に示した前記実施例１に係るボタンカバー３、および図４、図５に示した前記実施例２に係るボタンカバー４と相違する主要な点は、ベースボタン２の下端部２３を係止するためにカバー部５１の収容部５２の下部側の開口部５２ａに設けた係止片５３が、１つの連続した円環状突縁５３ａとなっている点である。その他の構成要素、即ち、前記カバー部５１の胴部５１ａ、蓋部５１ｂ、装飾面５１ｃ、等々については、前記実施例１、２のものと同様であるので、それらの詳しい説明は省略する。
【００３７】
この実施例３に係るボタンカバー５は、その全体、もしくは、少なくともその胴部５１ａと、係止片５３の部分が、低硬度の可撓性材質から構成されている。そのため、衣服に取り付けられたベースボタン２に着脱する際に、胴部５１ａや係止片５３を曲げたり撓ませたり、場合によっては伸ばしたりすることが容易である。他方、ベースボタン２に装着した後は、例えば人込みで他人と接触等したときに、外力によって脱落し易いという問題もある。そこで、このような低硬度の可撓性材質から成る胴部５１ａや係止片５３を有するボタンカバー５の場合は、胴部５１ａの周壁の厚さを比較的厚くしたり、係止片５３が前記開口部５２ａの内側へ突出する長さを、図示するように比較的長くすることが望ましい。低硬度の可撓性材質の場合、係止片５３の突出量は、例えば２．０〜５．０ｍｍ程度の範囲とされるが、必ずしもこれに限定されるものではなく、ボタンカバー５の材質の硬度の程度や、ボタンカバー全体のサイズ等によって最適なように変更することが可能である。
【実施例４】
【００３８】
図７には本考案の実施例４に係るボタンカバー６が示されている。前記の通り、図７における（ａ）は背面図、（ｂ）はＭ−Ｍ断面図である。
この実施例４に係るボタンカバー６も、前記図６に示した実施例３と同様に、ベースボタン２の下端部２３を係止するためにカバー部６１の収容部６２の下部側の開口部６２ａに設けた係止片６３が、１つの連続した円環状突縁６３ａとなっている。その他の構成要素、即ち、前記カバー部６１の胴部６１ａ、蓋部６１ｂ、装飾面６１ｃ、等々については、前記実施例１、２のものと同様であるので、それらの詳しい説明は省略する。
【００３９】
この実施例４に係るボタンカバー６が、前記実施例３に係るボタンカバー５と相違する点は、その全体、もしくは、少なくともその胴部６１ａと、係止片６３の部分が、前記実施例３の場合の低硬度よりも硬度の高い、中硬度の可撓性材質から構成されている点である。そのため、衣服に取り付けられたベースボタン２に着脱する際に、胴部５１ａや係止片５３を曲げたり撓ませたり、場合によっては伸ばしたりすることが前記実施例３の場合よりも困難となる。他方、ベースボタン２に装着した後は、例えば人込みで他人と接触等したときでも、外力によって脱落する可能性は前記実施例３の場合よりも低くなる。そこで、このような中硬度の可撓性材質から成る胴部６１ａや係止片６３を有する実施例４のボタンカバー６の場合は、胴部６１ａの周壁の厚さを前記実施例３の場合よりも全体的に薄くしたり、係止片６３に近づく程次第に薄くすると共に、係止片６３が前記開口部６２ａの内側へ突出する長さを、図示するように前記実施例３の場合よりも短くすることが望ましい。中硬度の可撓性材質の場合、係止片６３の突出量は、例えば１．０〜３．０ｍｍ程度の範囲とされるが、必ずしもこれに限定されるものではなく、ボタンカバー６の材質の硬度の程度や、ボタンカバー全体のサイズ等によって最適なように変更することが可能である。
【実施例５】
【００４０】
図８には本考案の実施例５に係るボタンカバー７が示されている。前記の通り、図８における（ａ）は背面図、（ｂ）はＮ−Ｎ断面図である。
この実施例５に係るボタンカバー７も、前記図６、図７に示した実施例３、４と同様に、ベースボタン２の下端部２３を係止するためにカバー部７１の収容部７２の下部側の開口部７２ａに設けた係止片７３が、１つの連続した円環状突縁７３ａとなっている。その他の構成要素、即ち、前記カバー部７１の胴部７１ａ、蓋部７１ｂ、装飾面７１ｃ、等々については、前記実施例１、２のものと同様であるので、それらの詳しい説明は省略する。
【００４１】
この実施例５に係るボタンカバー７が、前記実施例４に係るボタンカバー６と相違する点は、その全体、もしくは、少なくともその胴部７１ａと、係止片７３の部分が、前記実施例４の場合の中硬度よりも硬度の高い、高硬度の可撓性材質、即ち、僅かな可撓性を有する材質ではあるが硬度の高い材質から構成されている点である。そのため、衣服に取り付けられたベースボタン２に着脱する際に、胴部７１ａや係止片７３を曲げたり撓ませたりすることは僅かに可能ではあるが、相当困難になる。他方、ベースボタン２に装着した後は、例えば人込みで他人と接触等したときでも、外力によって脱落する可能性は相当低くなる。そこで、このような高硬度の可撓性材質から成る胴部７１ａや係止片７３を有する実施例５のボタンカバー７の場合は、胴部７１ａの周壁の厚さを前記実施例４の場合よりも更に薄くしたり、係止片７３に近づく程次第に薄くすると共に、係止片７３が前記開口部７２ａの内側へ突出する長さも、図示するように前記実施例４の場合よりも更に短くすることが望ましい。高硬度の可撓性材質の場合、係止片７３の突出量は、例えば０．２〜２．０ｍｍ程度の範囲とされるが、必ずしもこれに限定されるものではなく、ボタンカバー７の材質の硬度の程度や、ボタンカバー全体のサイズ等によって最適なように変更することが可能である。
【００４２】
なお、本考案は上記実施例に限定されるものではない。即ち、上述の説明では、ボタンカバー３、４等のカバー部３１、４１等は、共に円形のものとしたが、これらはベースボタンの形状に合わせて４角形、６角形、８角形等々の多角形状とすることも可能であり、或いはまた、カバー部３１、４１等の胴部３１ａ、４１ａ等はベースボタン２に嵌め合わせ可能な形状とし、蓋部３１ｂ、４１ｂ等についてはデザイン上の観点からベースボタンとは異なった形状とすることも可能である。更にまた、本考案のボタンカバーは、ベースボタンとセットにして販売することも排除するものではない。
従って、本考案は、実用新案登録請求の範囲に記載の技術的範囲内において、上記の説明から当業者が容易に想到し得るすべての変更実施例を包摂するものである。
【産業上の利用可能性】
【００４３】
本考案は以上のように構成され、ボタンカバーのカバー部と係止片とが合成樹脂により単一体として形成されて成るため、簡単な成型操作で製造でき、組立作業も不要となり、その製造コストを大幅に低く抑えることが可能となるものである。また、その機能については、少なくともその係止片が可撓性の合成樹脂により作製されているため、衣服に取り付けたベースボタンへの装着作業時には容易に変形することにより、簡単な操作で装着でき、更に、装着可能なボタンは専用のものに限らず既存の各種ボタンに対して装着可能であり、装着後は容易に外れることなく安定して保持され、また、ベースボタンに装着したままで衣服を着たり脱いだりすることができ、外観も正規のボタンと変わらない、等々の多くの利点を有するボタンカバーを提供し得るものである。
【符号の説明】
【００４４】
１      衣服
２      ベースボタン
２１    ボタン本体
２２    外周縁
２３    下端部
２４    糸通し孔
２５    糸
３，４，５，６，７  ボタンカバー
３１，４１，５１，６１，７１  カバー部
３１ａ，４１ａ，５１ａ，６１ａ，７１ａ  胴部
３１ｂ，４１ｂ，５１ｂ，６１ｂ，７１ｂ  蓋部
３１ｃ，４１ｃ，５１ｃ，６１ｃ，７１ｃ  装飾面
３２，４２，５２，６２，７２  収容部
３２ａ，４２ａ，５２ａ，６２ａ，７２ａ  開口部
３３，４３，５３，６３，７３  係止片
３３ａ，３３ａ  円弧状突縁
４３ａ，４３ａ  小係止片
５３ａ，６３ａ，７３ａ  円環状突縁
３４，４４  間隙
【図１】
0003193158.tif 000003
【図２】
0003193158.tif 000004
【図３】
0003193158.tif 000005
【図４】
0003193158.tif 000006
【図５】
0003193158.tif 000007
【図６】
0003193158.tif 000008
【図７】
0003193158.tif 000009
【図８】
0003193158.tif 000010
【図９】
0003193158.tif 000011